(57)【要約】【課題】制御ユニットを台本体内のデッドスペースに設置することにより、台本体内スペースを有効利用できるようにする。【解決手段】実施の形態は、ユーザインターフェース部４と、天板３２上に前記ユーザインターフェース部４を載置する台本体３０と、前記ユーザインターフェース部４から分離され、商品販売データ処理のために機能するハードウェア構成物を収納する制御ユニット５と、前記台本体３０内の背面側に設けられ、前記制御ユニット５を垂直な状態で取り付ける取付手段４１，４２とからなる。【選択図】図１
2012048494.tif 000002
【特許請求の範囲】
【請求項１】
ユーザインターフェース部と、
天板上に前記ユーザインターフェース部を載置する台本体と、
前記ユーザインターフェース部から分離され、商品販売データ処理のために機能するハードウェア構成物を収納する制御ユニットと、
前記台本体内の背面側に設けられ、前記制御ユニットを垂直な状態で取り付ける取付手段と、
からなることを特徴とする商品登録処理装置。
【請求項２】
前記制御ユニットから分離され、電源スイッチ、リセットスイッチの機能を有する第２の制御ユニットをさらに有することを特徴とする請求項１記載の商品登録処理装置。
【請求項３】
前記第２の制御ユニットは、前記ユーザインターフェース部に組み込まれていることを特徴とする請求項２に記載の商品登録処理装置。
【請求項４】
ユーザインターフェース部を天板に戴置する台本体と、
前記ユーザインターフェース部とは分離して連結され、前記ユーザインターフェース部を制御するハードウェア構成物を収納した制御ユニットを垂直な状態で前記台本体の背面側に取り付ける取付手段と、
を具備することを特徴とする設置台装置。
【請求項５】
前記取付手段は、前記台本体内の背板に設けられ、前記制御ユニットの上下部を弾性的に挟圧保持する一対の保持部材を有してなることを特徴とする請求項４記載の設置台装置。
【請求項６】
前記天板に設けられ、前記ユーザインターフェース部と前記制御ユニットとを接続する配線ケーブルを挿入させるスリットを備えたことを特徴とする請求項４または５記載の
設置台装置。
【発明の詳細な説明】
【技術分野】
【０００１】
本発明の実施形態は、ＰＯＳ端末を備える商品登録処理装置、及びＰＯＳ端末を載置する載置台装置に関する。
【背景技術】
【０００２】
商品販売データ処理装置であるＰＯＳ端末は、商品販売データ処理のために機能する制御ユニット、キーボード、ディスプレイ、プリンタ等の要素が集合して構成されている。
【０００３】
ＰＯＳ端末が置かれる店舗のチェックアウトスペースには、ＰＯＳ端末の他に、ドロワ、釣銭機、スキャナ、ポイントカードリーダ、電子マネー端末等の周辺機器が設置され、作業スペースが狭くなっている。
【０００４】
そこで、限られたスペースでのキャッシャーの作業性をよくするために、チェックアウト作業時においては、操作する必要のない制御ユニットを分割可能な構造とし、作業に支障のないレジ台の内部に制御ユニットを配置できるようにした製品が開発されている。
【先行技術文献】
【特許文献】
【０００５】
【特許文献１】特開２００６−９２４５６号公報
【発明の概要】
【発明が解決しようとする課題】
【０００６】
制御ユニットをレジ台の内部に水平な状態で設置した場合には、レジ袋や割り箸など顧客に渡すものや、その店舗独自で運用している機器、備品等を置くためのスペースが削減されてしまうという不都合があった。
【０００７】
また、通常、操作頻度の低い制御ユニットは、レジ台の床面に近い下のほうにレイアウトをしたい要求があるが、床面に近い箇所は、床清掃の際の洗剤などがかかりやすく、機器のレイアウトとしては好ましくない。
【課題を解決するための手段】
【０００８】
上記の課題を解決するために、実施の形態は、ユーザインターフェース部と、天板上に前記ユーザインターフェース部を載置する台本体と、前記ユーザインターフェース部から分離され、商品販売データ処理のために機能するハードウェア構成物を収納する制御ユニットと、前記台本体内の背面側に設けられ、前記制御ユニットを垂直な状態で取り付ける取付手段とからなる。
【図面の簡単な説明】
【０００９】
【図１】一実施の形態である商品登録処理装置を示す構成図。
【図２】図１のユーザインターフェース部と制御ユニットとの配線接続を示す図。
【図３】図１のレジ台からユーザインターフェース部を離した状態を示す斜視図。
【図４】図１のレジ台内部の背面側を分解して示す斜視図。
【図５】図３のフロントＰＣＢの他の取付位置を示す斜視図。
【発明を実施するための形態】
【００１０】
以下、本発明の実施の形態について、図面を参照して詳細に説明する。
【００１１】
図１は、本発明の一実施の形態である商品登録処理装置を示すものである。
【００１２】
商品登録処理装置は、載置台装置としてのレジ台１と、このレジ台１上に載置される自動釣銭機２、及びこの自動釣銭機２上に載置される商品販売データ処理装置であるＰＯＳ端末３とによって構成されている。
【００１３】
ＰＯＳ端末３は、ユーザインターフェース部４、及びこのユーザインターフェース部４から分離された制御ユニット５から構成されている。
【００１４】
レジ台１は、台本体３０を有し、その内部には引出部２７ａ〜２７ｄが複数段配設されている。引出部２７ｃと２７ｄとの間は顧客が使用可能なスペース２８となっている。そして、レジ台１内の背面側のデッドスペース２９に、制御ユニット５が垂直状態（縦置状態）で設けられている。
【００１５】
図２は、ユーザインターフェース部４と制御ユニット５との配線接続を示すものである。
【００１６】
ユーザインターフェース部４には、カードリーダ６、キーボード７、表示器８、スキャナ９、プリンタ１０、オペレータＴＦＴ１１が配設されている。
【００１７】
制御ユニット５の前面側１７にはＵＳＰバッテリー１４、及びＨＤＤ／ＳＳＤ１５が配設され、後面側にはコネクタ部１６が設けられている。
【００１８】
また、制御ユニット５のオペレータによってメンテナンスされる機能であるメンテナンス用のＵＳＢコネクタ１８、さらに、オペレータによって操作される機能である電源スイッチＳＷ１９、音量ボリューム２０、及びリセットＳＷ２１は、制御ユニット５から分離されて第２の制御ユニット５ａを構成している。この第２の制御ユニット５ａは、フロントＰＣＢ２３に実装されて図３にも示すように、ユーザインターフェース部４にオペレータ用表示器２４の下部側に位置して設けられている。
【００１９】
図４は、レジ台１をその背面カバー３１を取り外して示す斜視図である。
【００２０】
レジ台１はその上面部に天板３２を有し、この天板３２の後部側にはスリット３４が穿設されている。このスリット３４にはユーザインターフェース部４の各接続機器からの信号ケーブル３５が挿入され、この信号ケーブル３５が制御ユニット５のコネクタ部１６に接続されるようになっている。
【００２１】
また、ユーザインターフェース部４に設けられるフロントＰＣＢ２３は接続ケーブル３７、及び中継ケーブル３８を介して制御ユニット５の前面側１７側に接続されるようになっている。接続ケーブル３７も天板３２のスリット３４に挿入されるようになっている。
【００２２】
制御ユニット５内の背面側には背板４０が設けられ、この背板４０には上下方向に所定間隔を存して取付手段としての上下部の保持具４１，４２が配設されている。
【００２３】
制御ユニット５はその前面側１７側を下向き、コネクタ部１６側を上向きにして垂直状態で保持具４１，４２間に嵌め込まれて挟圧保持されるようになっている。制御ユニット５を取り付けたのちは背面カバー３１を取り付けてレジ台１の背面側を閉じる。
【００２４】
上記したように、この実施の形態によれば、制御ユニット５を台本体３０内の背面側に垂直状態で設けるため、台本体３０内のデッドスペース２９を利用することができる。従って、台本体３０内の引出部２７ｃと引出部２７ｄとの間のスペースを、例えば、レジ袋や割り箸など顧客に渡すものや、その店舗独自で運用している機器、備品等を置くためのスペースとして全て有効利用することが可能となる。
【００２５】
また、電源ＳＷ１９、音量ボリューム２０、及びリセットＳＷ２１、さらにメンテナス用のＵＳＢコネクタ１８を有してなる第２の制御ユニット５ａを制御ユニット５から分離してフロントＰＣＢ２３に実装し、このフロントＰＣＢ２３をユーザインターフェース部４に設けるため、制御ユニット５を台本体３０内のデッドスペース２９に設置しても、電源ＳＷ１９、音量ボリューム２０、及びリセットＳＷ２１、さらにメンテナス用のＵＳＢコネクタ１８への通常使用時での物理的なアクセスが妨げられることもない。
【００２６】
また、制御ユニット５をレジ台１内の背面側に垂直状態（縦型）にレイアウトするため、ユーザインターフェース部４からの信号ケーブル３５と制御ユニット５のコネクタ部１６とが近くなる。従って、延長ケーブルを不要、或いは短くでき、配線ケーブルによるノイズの影響を受けにくくなり、また、延長ケーブルのコストも削減することができる。
【００２７】
なお、上記した一実施の形態では、第２の制御ユニット５ａを搭載するフロントＰＣＢ２３をユーザインターフェース部４に設けたが、これに限られることなく、図５に示すように、レジ台１のフロント側上部に設けるようにしてもよい。
【００２８】
なお、この発明は、上述した実施の形態そのままに限定されるものではなく、実施段階ではその要旨を逸脱しない範囲で構成要素を変形して具体化できる。
【符号の説明】
【００２９】
１…レジ台（載置台）、４…ユーザインターフェース部、５…制御ユニット、５ａ…第２の制御ユニット、１９…電源ＳＷ、２１…リセットＳＷ、３０…台本体、３２…天板、３４…スリット、３５…信号ケーブル（配線ケーブル）、３７…接続ケーブル（配線ケーブル）、４０…背板、４１，４２…保持具（取付手段）。
【図１】
2012048494.tif 000003
【図２】
2012048494.tif 000004
【図３】
2012048494.tif 000005
【図４】
2012048494.tif 000006
【図５】
2012048494.tif 000007